(57)【特許請求の範囲】
【請求項１】
長方形状である第１の絶縁基板と、該第１の絶縁基板上に形成される第１の抵抗膜と、前記第１の絶縁基板上に形成される第１の信号線及び第２の信号線と、を含む第１の基板と、
前記第１の基板と対向し、第２の絶縁基板と、前記第２の絶縁基板上に形成される第２の抵抗膜と、前記第２の絶縁基板上に形成される第３の信号線及び第４の信号線とを含む第２の基板と、
前記第１の信号線の端部に接続される第１のパッドと、前記第２の信号線の端部に接続される第２のパッドと、第１の接続線の端部に接続される第３のパッドと、第２の接続線の端部に接続される第４のパッドと、を含むパッド部と、
前記各々のパッドの内のいずれか二つに接続される第１のフレキシブル回路基板と、
前記各々のパッドのうちの他方の二つに接続される第２のフレキシブル回路基板と、を有し、
前記第１の絶縁基板の第１のパッド領域に、前記第１のパッドと前記第４のパッドとが位置し、前記第１の絶縁基板の第２のパッド領域には、前記第２のパッドと前記第３のパッドとが位置し、
前記第１の基板は前記第２の基板より大きく、前記第２の基板と重なり合わない前記第１の基板の領域に前記第１及び第２のパッド領域を備え、
前記第１乃至第４のパッドは第２の基板により遮られず、
前記第１乃至第４のパッドは、前記第１のフレキシブル回路基板と、前記第２のフレキシブル回路基板とが、前記第１の絶縁基板の同一の辺から出るように形成され、
前記第１及び第２のパッド領域は、前記第１の絶縁基板の同一の辺の相異なる角部に位置し、
前記第１の接続線は、導電部材により前記第２の基板の前記第３の信号線と電気的に接続され、前記第１の絶縁基板の下辺に沿って形成され、
前記第２の接続線は、導電部材により前記第２の基板の前記第４の信号線と電気的に接続され、前記第１の絶縁基板の上辺及び左辺に沿って形成され、
ペンまたは指が前記第２の基板を押し付けて前記第１の抵抗膜と前記第２の抵抗膜とが接触するようになると、その接触位置に応じて抵抗値が変わることに応じて、電流または電圧が変化することにより、接触を検知するタッチスクリーンパネルと、表示パネルとを含むことを特徴とする表示装置。
【請求項２】
前記第１のフレキシブル回路基板と前記第２のフレキシブル回路基板は、前記第１の基板の相異なる角領域に接続されることを特徴とする請求項１に記載の表示装置。
【請求項３】
前記パッド部は前記第１の基板上に形成され、前記第１の基板と第２の基板との間に配置され、前記第３のパッドと前記第３の信号線とを電気的に接続し、前記第４のパッドと前記第４の信号線とを電気的に接続する導電部材をさらに含むことを特徴とする請求項１に記載の表示装置。
【請求項４】
前記第１のフレキシブル回路基板は、前記第１のパッドと第２のパッドの内のいずれか一つ及び、前記第３のパッドと第４のパッドの内のいずれか一つとに接続されることを特徴とする請求項３に記載の表示装置。
【請求項５】
前記表示パネルは、前記第１の基板の後方に配置される液晶パネルをさらに含むことを特徴とする請求項１に記載の表示装置。
【請求項６】
前記第１の絶縁基板はガラスを含み、前記第２の絶縁基板は高分子フィルムを含むことを特徴とする請求項５に記載の表示装置。
【請求項７】
前記液晶パネルは、薄膜トランジスタが形成される第１の液晶パネル基板と、
前記第１の液晶パネル基板に対向し、外部ブラックマトリックスが形成される第２の液晶パネル基板と、
前記第１及び第２の液晶パネル基板の間に介在する液晶層とを含み、
前記パッド部は、前記外部ブラックマトリックス領域内に配置されることを特徴とする請求項５に記載の表示装置。
【請求項８】
前記第１の絶縁基板の背面と対向し、薄膜トランジスタが形成される液晶パネル基板と、
前記第１の絶縁基板と前記液晶パネル基板との間に介在する液晶層とをさらに有することを特徴とする請求項１に記載の表示装置。
【請求項９】
前記第１の絶縁基板の背面に形成される外部ブラックマトリックスをさらに有し、
前記パッド部は、前記外部ブラックマトリックス領域内に配置されることを特徴とする請求項８に記載の表示装置。
【請求項１０】
前記液晶パネル基板の背面に配置される第１の偏光板と、前記第２の絶縁基板の上面に配置される第２の偏光板とをさらに有することを特徴とする請求項８に記載の表示装置。
【請求項１１】
前記第２の絶縁基板は、高分子フィルムであることを特徴とする請求項８に記載の表示装置。
【発明の詳細な説明】
【技術分野】
【０００１】
本発明は表示装置に関し、特に、タッチスクリーンパネルを含む表示装置に関する。
【背景技術】
【０００２】
一般に、画像を表示する装置としては、陰極線管、液晶ディスプレイ、プラズマディスプレイパネル及び有機電界発光装置などがある。最近では、このような画像表示装置にタッチスクリーンパネルのような入力装置を導入した表示装置が開発されている。かかる表示装置においては、ユーザーがタッチスクリーンパネルの表面を指やペンを用いて加圧すると、その位置に対応する情報が画像表示装置に伝えられてディスプレイされる。
【０００３】
タッチスクリーンパネルには、加圧された位置を把握するための信号線が形成されており、加圧によってタッチスクリーンパネルで発生した電気的信号は、信号線に接続されたパッドを通じて外部に伝えられる。
【０００４】
しかしながら、これらパッド形成のためにタッチスクリーンパネルのサイズが大きくなってしまうことによって、表示装置のサイズも大きくなってしまうという問題点がある。
【発明の開示】
【発明が解決しようとする課題】
【０００５】
そこで、本発明は上記従来のタッチスクリーンパネルを含む表示装置における問題点に鑑みてなされたものであって、本発明の目的は、タッチスクリーンパネルを含む表示装置のサイズを減少させることのできる表示装置を提供することにある。
【課題を解決するための手段】
【０００６】
上記目的を達成するためになされた本発明による表示装置は、第１の絶縁基板と、該第１の絶縁基板上に形成される第１の抵抗膜と、前記第１の絶縁基板上に形成される第１の信号線及び第２の信号線と、を含む第１の基板と、前記第１の基板と対向し、第２の絶縁基板と、前記第２の絶縁基板上に形成される第２の抵抗膜と、前記第２の絶縁基板上に形成される第３の信号線及び第４の信号線とを含む第２の基板と、前記第１の信号線の端部に接続される第１のパッドと、前記第２の信号線の端部に接続される第２のパッドと、第１の接続線の端部に接続される第３のパッドと、第２の接続線の端部に接続される第４のパッドと、を含むパッド部と、前記各々のパッドの内のいずれか二つに接続される第１のフレキシブル回路基板と、前記各々のパッドのうちの他方の二つに接続される第２のフレキシブル回路基板と、を有し、前記第１の絶縁基板の第１のパッド領域に、前記第１のパッドと前記第４のパッドとが位置し、前記第１の絶縁基板の第２のパッド領域には、前記第２のパッドと前記第３のパッドとが位置し、前記第１の基板は前記第２の基板より大きく、前記第２の基板と重なり合わない前記第１の基板の領域に前記第１及び第２のパッド領域を備え、前記第１乃至第４のパッドは第２の基板により遮られず、前記第１の接続線は、前記第２の基板の前記第３の信号線と電気的に接続され、前記第１の絶縁基板の下辺に沿って形成され、前記第２の接続線は、前記第２の基板の前記第４の信号線と電気的に接続され、前記第１の絶縁基板の上辺及び左辺に沿って形成されることを特徴とする。
【０００８】
また、前記第１の基板の後方に配置される液晶パネルをさらに有することが好ましい。
前記第１の絶縁基板はガラスを含み、前記第２の絶縁基板は高分子フィルムを含むことが好ましい。
前記液晶パネルは、薄膜トランジスタが形成される第１の液晶パネル基板と、前記第１の液晶パネル基板に対向し、外部ブラックマトリックスが形成される第２の液晶パネル基板と、前記第１及び第２の液晶パネル基板の間に介在する液晶層とを含み、前記パッド部は、前記外部ブラックマトリックス領域内に配置されることが好ましい。
さらに、前記第１の絶縁基板の背面と対向し、薄膜トランジスタが形成される液晶パネル基板と、前記第１の絶縁基板と前記液晶パネル基板との間に介在する液晶層とをさらに有することが好ましい。
前記第１の絶縁基板の背面に形成される外部ブラックマトリックスをさらに有し、前記パッド部は、前記外部ブラックマトリックス領域内に配置されることが好ましい。
また、前記液晶パネル基板の背面に配置される第１の偏光板と、前記第２の絶縁基板の背面に配置される第２の偏光板とをさらに有することが好ましい。
前記第２の絶縁基板は高分子フィルムであることが好ましい。
【発明の効果】
【００１２】
本発明に係る表示装置によれば、タッチスクリーンパネルのパッドは二つずつ分けられてフレキシブル回路基板に接続されるので、したがって、各パッド領域を容易に備えることができるため、パッド領域の形成に必要な幅は大きくならない、したがって、タッチスクリーンパネルのサイズが大きくなることを抑制するという効果がある。
【発明を実施するための最良の形態】
【００１３】
次に、本発明に係る表示装置を実施するための最良の形態の具体例を図面を参照しながら説明する。
【００１４】
以下の実施形態においては、表示装置がタッチスクリーンパネルと液晶パネルとを含むものを例示したが、液晶パネルの代わりに、有機電界発光装置、プラズマディスプレイパネルまたは電気泳動表示装置等を用いることができる。
【００１５】
図１は、本発明の第１の実施形態による表示装置のブロック図であり、図２は、本発明の第１の実施形態による表示装置の斜視図である。
図１及び図２を参照すると、第１の実施形態による表示装置１は、タッチスクリーンパネル１００、液晶パネル２００、制御部３００及びフレキシブル回路基板４００を含む。
タッチスクリーンパネル１００は液晶パネル２００の上部に位置し、タッチスクリーンパネル１００の側面にはフレキシブル回路基板４００が連結される。フレキシブル回路基板４００は、第１のフレキシブル回路基板４００ａと第２のフレキシブル回路基板４００ｂとを含む。
【００１６】
ユーザーがタッチスクリーンパネル１００を指またはペンを用いて加圧すると、加圧による電気的信号が発生する。このように発生した電気的信号は、フレキシブル回路基板４００を通じて制御部３００に伝えられる。その後、制御部３００は電気的信号を解析して、加圧された部分の座標を計算し、その計算された座標位置に対応する情報を液晶パネル２００に伝えてディスプレイする。
【００１７】
図３は、図２のＩＩＩ−ＩＩＩ線に沿って切断した断面図である。
図３を参照すれば、タッチスクリーンパネル１００は、第１の基板１１０、第２の基板１２０及び両方の基板（１１０、１２０）を接合させる接着層１４０を含む。
液晶パネル２００は、第１の液晶パネル基板２１０、第２の液晶パネル基板２２０、両方の基板（２１０、２２０）を接合させるシーラント２６０、両方の基板（２１０、２２０）とシーラント２６０とにより取り囲まれた空間に介在する液晶層２３０を含む。
第２の液晶パネル基板２２０には、シーラント２６０に沿って外部ブラックマトリックス２２２が形成されている。
【００１８】
次いで、図４〜図７を参照してタッチスクリーンパネル１００について詳しく説明する。
図４は、図３のＡ部分の拡大図であり、図５は、本発明の第１の実施形態による表示装置における第１の基板の配置図である。
図４及び図５を参照すると、第１の基板１１０は、第１の絶縁基板１１１、第１の絶縁基板１１１の上に形成される第１の抵抗膜１１２、第１の信号線１１３、第２の信号線１１４、第１の接続線１１５及び第２の接続線１１６を含む。
【００１９】
第１の絶縁基板１１１は大体長方形状であり、ガラスで構成されることができる。第１の絶縁基板１１１は第２の絶縁基板１２１より大きく、第２の絶縁基板１２１と重なり合わない第１の絶縁基板１１１の下辺にパッド領域Ｂ、Ｃが備えられている。
第１の抵抗膜１１２は、第１の絶縁基板１１１の上面の大部分にかけて形成されており、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）のような透明電導物質で構成される。
【００２０】
第１の信号線１１３と第２の信号線１１４とは第１の抵抗膜１１２を間に挟んで対向し、第１の絶縁基板１１１の長辺に沿って延長される。第１の信号線１１３及び第２の信号線１１４はＸ方向に延長されＸ信号線と称する。第１の信号線１１３及び第２の信号線１１４は第１の抵抗膜１１２と電気的に接続され、金属で構成される。
第１の信号線１１３の一端部は第１のパッド１１３ａとなり、第１のパッド１１３ａは第２の基板１２０により遮られない。第２の信号線１１４の一端部は第２のパッド１１４ａとなり、第２のパッド１１４ａは第２の基板１２０により遮られない
。
【００２１】
第１の接続線１１５は、第２の基板１２０の第３の信号線１２３（図６参照）と電気的に接続され、第１の絶縁基板１１１の下辺に沿って形成される。第２の接続線１１６は、第２の基板１２０の第４の信号線１２４（図６参照）と電気的に接続され、第１の絶縁基板１１１の上辺及び左辺に沿って形成される。
第１の接続線１１５のうち、第２のパッド１１４ａと近い端部は第３のパッド１１５ａとなり、第３のパッド１１５ａは第２の基板１２０により遮られない。第２の接続線１１６のうち、第１のパッド１１３ａと近い端部は第４のパッド１１６ａとなり、第４のパッド１１６ａは第２の基板１２０により遮られない。
【００２２】
このような実施形態とは異なり、各パッド１１３ａ〜１１６ａは、接続される信号線（１１３、１１４）及び接続線（１１５、１１６）に比べ、幅が広げることができる。パッド１１３ａ〜１１６ａは、一辺の長さが約１ｍｍ程度の正方形状として備えられることができる。
このようにパッド１１３ａ〜１１６ａは二つの領域に備えられる。すなわち、第１の絶縁基板１１１の左下の角部の第１のパッド領域（Ｂ）に、第１のパッド１１３ａと第４のパッド１１６ａとが位置し、第１の絶縁基板１１１の右下の角部の第２のパッド領域（Ｃ）には、第２のパッド１１４ａと第３のパッド１１５ａとが位置する。
【００２３】
図６は、本発明の第１の実施形態による表示装置における第２の基板の配置図である。
図４及び図６を参照すれば、第２の基板１２０は、第２の絶縁基板１２１、第２の絶縁基板１２１の上に形成されている第２の抵抗膜１２２、第３の信号線１２３及び第４の信号線１２４を含む。
【００２４】
第２の絶縁基板１２１は高分子フィルムで構成され、第１の絶縁基板１１１に比べ長さは短い。
第２の抵抗膜１２２は第２の絶縁基板１１１の下面の大部分にかけて形成されており、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）のような透明導電物質で構成される。
【００２５】
第３の信号線１２３と第４の信号線１２４とは、第２の抵抗膜１２２を間に挟んで対向し、第２の絶縁基板１２１の短辺に沿って延長される。第３の信号線１２３及び第４の信号線１２４はＹ方向に伸びてＹ信号線と称する。第３の信号線１２３及び第４の信号線１２４は第２の抵抗膜１２２と電気的に接続され、金属で構成される。
【００２６】
図７は、図６のＶＩＩ−ＶＩＩ線に沿って切断した断面図である。
図７を参照すれば、第４の信号線１２４は金属で構成される導電部材１５０を通じて第２の接続線１１６と電気的に接続される。導電部材１５０は接着層１４０の間に不連続に形成される。図示してはいないが、第３の信号線１２３も同じ方式で第１の接続線１１５と電気的に接続される。
【００２７】
以下、図８及び図９を参照して、パッド１１３ａ〜１１６ａとフレキシブル回路基板４００との連結について説明する。
図８は、本発明の第１の実施形態による表示装置におけるフレキシブル回路基板の正面図であり、図９は、図２のＩＸ−ＩＸ線に沿って切断した断面図である。
【００２８】
図８を参照すれば、フレキシブル回路基板４００は、フレキシブルフィルム４１１、フレキシブルフィルム４１１の上に形成されている一対の接続配線を含む。
第１の接続配線は、入力リード４２１、出力リード４２３、両方のリード（４２１、４２３）を接続するリード接続部４２２を含む。第２の接続配線は、入力リード４３１、出力リード４３３、両方のリード（４３１、４３３）を接続するリード接続部４３２を含む。
第１の接続配線及び第２の接続配線は、フレキシブルフィルム４１１の同一面に形成されている。入力リード４２１、４３１は、第１の基板１１０のパッド１１３ａ〜１１６ａに接続され、出力リード４２３、４３３は制御部３００に電気的に接続される。
図示していないが、フレキシブル回路基板４００は、リード接続部４２２、４３２を覆う絶縁フィルムをさらに含むことができる。
【００２９】
図９を参照すれば、第１のパッド１１３ａ及び第４のパッド１１６ａは、第１のフレキシブル回路基板４００ａに接続される。第１のパッド１１３ａは、異方性電導フィルム５００を経て第１の接続配線の入力リード４２１と電気的に接続され、第４のパッド１１６ａは、異方性電導フィルム５００を経て第２の接続配線の入力リード４３１と電気的に接続される。
異方性電導フィルム５００は、ベース樹脂部５１１と、ベース樹脂部５１１内に分散されている導電ボール５１２とを含む。パッド（１１３ａ、１１６ａ）と入力リード４２１、４３１との間に介在し、導電ボール５１２は互いに接触しながら電気的通路を形成する。
図示していないが、第２のパッド１１４ａ及び第３のパッド１１５ａも同様に第２のフレキシブル回路基板４００ｂに接続される。
【００３０】
第１の抵抗膜１１２の上には、スペーサ１３０が備えられる（図４参照）。スペーサ１３０は半球状であって、二つの抵抗膜（１１２、１２２）が短絡することを防止する。
第２の基板１２０の第２の絶縁基板１２１は高分子フィルムで製造されて、重力などによって第１の基板１１０に向かって変形しやすい。第２の基板１２０が変形すると、二つの抵抗膜（１１２、１２２）が短絡してユーザーの加圧の際、位置把握に問題が発生する。スペーサ１３０は、第２の基板１２０が変形しても、二つの抵抗膜（１１２、１２２）が直接接触することを防止する。
スペーサ１３０は、紫外線硬化材料または熱硬化材料などをスクリーンプリンティングまたは印刷して形成される。
接着層１４０（図３参照）はタッチパネルスクリーン１００の周りに沿って配置されながら、両方の基板（１１０、１２０）を接着させる。接着層１４０は両面テープでなすことができる。
【００３１】
このようなタッチスクリーンパネル１００において、ペンまたは指が第２の基板１２０を押し付けて第１の抵抗膜１１２と第２の抵抗膜１２２とが接触するようになると、その接触位置に応じて抵抗値が変わる。
可変抵抗値に応じて電流または電圧が変化し、その電流または電圧はパッド１１３ａ〜１１６ａとフレキシブル回路基板４００とを通じて出力される。フレキシブル回路基板４００の出力リード４２３、４３３は直接、制御部３００に接続されるか、液晶パネル２００の駆動部（図示せず）に接続することができる。
【００３２】
再度、図２〜図４を参照しながら、液晶パネル２００について説明する。
第１の液晶パネル基板２１０は、第３の絶縁基板２１１、薄膜トランジスタ２１２、絶縁膜２１３及び画素電極２１４を含む。
第３の絶縁基板２１１はガラスまたはプラスチックで構成できる。画素電極２１４は複数個で備えられており、それぞれ別途の薄膜トランジスタ２１２と電気的に接続している。
【００３３】
第２の液晶パネル基板２２０は、第４の絶縁基板２２１、外部ブラックマトリックス２２２、内部ブラックマトリックス２２３、カラーフィルタ２２４、オーバーコート層２２５及び共通電極２２６を含む。
第４の絶縁基板２２１は、ガラスまたはプラスチックで構成できる。内部ブラックマトリックス２２３は、薄膜トランジスタ２１２に対応するように形成されている。カラーフィルタ２２４は、相異なる色相、たとえば、赤色、緑色及び青色を有する複数のサブ層を含む。共通電極２２６は、第４の絶縁基板２２１の全体にかけて形成されている。
【００３４】
画素電極２１４及び共通電極２２６は、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）のような透明電導物質で構成される。
液晶層２３０は、画素電極２１４と共通電極２２６との間に形成される電界により整列状態を変化させながら、透過率を調節する。
第１の液晶パネル基板２１０の外面には、第１の偏光板２４０が取り付けられており、第２の液晶パネル基板２２０の外面には、第２の偏光板２５０が取り付けられている。
【００３５】
第１の偏光板２４０は、接着剤（図示せず）を通じて第１の液晶パネル基板２１０の第３の絶縁基板２１１の背面に取り付けられる。第１の偏光板２４０は、入射される光の偏光状態を制御する偏光層と、その偏光層の上面及び下面に位置する支持層とを含む。
偏光層は、ポリビニルアルコール（Ｐｏｌｙ  Ｖｉｎｙｌ  Ａｌｃｏｈｏｌ：ＰＶＡ）の薄い膜をヨウ素化合物などの二色性染料溶液に浸すことによって染色し、加熱して一軸延伸することで形成される。
支持層はトリアセテートセルローズ（Ｔｒｉ−ａｃｅｔｙｌ  Ｃｅｌｌｕｌｏｓｅ：ＴＡＣ）などで形成され、伸ばされた偏光層の収縮を防止し、偏光層を保護／支持する役割をする。
第２の偏光板２５０は、第１の偏光板２４０と同一構造を有するため、その説明を省略する。
図示してはいないが、表示装置１は、液晶パネル２００の後方に位置するバックライトユニットをさらに含むことができる。
【００３６】
上述した第１の実施形態による表示装置において、タッチスクリーンパネル１００のパッド１１３ａ〜１１６ａには二つの領域に分けられてフレキシブル回路基板４００ａ、４００ｂが接続される。
したがって、各パッド領域Ｂ、Ｃ（図５を参照）を容易に備えることができるため、パッド領域の形成に必要な幅ｄ１（図５を参照）は大きくない。したがって、タッチスクリーンパネル１００のサイズが大きくなることを抑制する。
パッド領域Ｂ、Ｃ、信号線（１１３、１１４、１２３、１２４）及び接続線（１１５、１１６）は、液晶パネル２００の外部ブラックマトリックス２２２より内の領域内に位置することが好ましい。
【００３７】
第１の基板１１０の信号線（１１３、１１４）及び接続線（１１５、１１６）の配置は様々に変更することができるが、これらを第２の実施形態及び第３の実施形態で説明する。
図１０は、本発明の第２の実施形態による表示装置における第１の基板の配置図である。
第２の実施形態を示す図１０を参照すると、第３の信号線１２３に接続される第１の接続線１１５の第３のパッド部１１５ａは、第１のパッド部１１３ａに隣接して形成される。
【００３８】
第４の信号線１２４に接続される第２の接続線１１６は基板の上辺及び右辺に沿い、右辺部は第２の信号線１１４の後方に延長しており、第４のパッド部１１６ａは第２のパッド部１１４ａに隣接して形成されている。
第２の実施形態によれば、第１の絶縁基板１１１の左下の第１のパッド領域Ｄには、第１のパッド１１３ａと第３のパッド１１５ａとが位置し、右下の第２のパッド領域Ｅには、第２のパッド１１４ａと第４のパッド１１６ａとが位置する。
フレキシブル回路基板４００と第１の基板１１０とは、第１の実施形態と同様に接続される。第１のフレキシブル回路基板４００ａは第１のパッド１１３ａ及び第３のパッド１１５ａに接続され、第２のフレキシブル回路基板４００ｂは第２のパッド１１４ａ及び第４のパッド１１６ａに接続される。
【００３９】
図１１は、本発明の第３の実施形態による表示装置における第１の基板の配置図である。
第３の実施形態を示す図１１を参照すると、第３の信号線１２３に接続される第１の信号線１１５の第３のパッド部１１５ａは、第１のパッド部１１３ａに隣接して形成されている。
また、第１のパッド部１１３ａ及び第３のパッド部１１５ａは、第１の絶縁基板１１１の長辺（図１１での左辺）に向けて形成されている。
第４の信号線１２４に接続される第２の接続線１１６は、第２の信号線１１４の後方に延長しており、第４のパッド部１１６ａは第２のパッド部１１４ａに隣接して形成されている。
第３の実施形態によれば、第１の絶縁基板１１１の左下の第１のパッド領域Ｆには、第１のパッド１１３ａ及び第３のパッド１１５ａが位置し、右下の第２のパッド領域Ｇには、第２のパッド１１４ａ及び第４のパッド１１６ａが位置する。
【００４０】
また、フレキシブル回路基板４００ａ、４００ｂは、第１の絶縁基板１１１の相異なる辺に接続される。すなわち、第１のフレキシブル回路基板４００ａは、第１の絶縁基板１１１の長辺（左辺）に取り付けられながら、第１のパッド１１３ａ及び第３のパッド１１５ａと接続される。一方、第２のフレキシブル回路基板４００ｂは、第１の絶縁基板１１１の短辺（下辺）に取り付けられながら、第２のパッド１１４ａ及び第４のパッド１１６ａと接続される。
【００４１】
次に、図１２〜図１８を参照しながら、第４の実施形態による表示装置について説明する。
図１２は、本発明の第４の実施形態による表示装置の斜視図であり、図１３は、図１２のＸＩＩＩ−ＸＩＩＩ線に沿って切断した断面図であり、図１４は、図１３のＨ部分の拡大図である。
図１２〜図１４を参照すると、液晶パネル２００の第２の液晶パネル基板２２０は、タッチスクリーンパネル１００の第１の基板１１０の第１の絶縁基板１１１を共有する。
【００４２】
すなわち、第１の絶縁基板１１１の上面には、第１の抵抗膜１１２が形成されており、第１の絶縁基板１１１の下面には、ブラックマトリックス（２２２、２２３）とカラーフィルタ２２４とが形成されている。
また、液晶パネル２００の第２の偏光板２５０は、タッチスクリーンパネル１００の上部に形成される。
第４の実施形態によれば、絶縁基板の使用を減らして表示装置１の厚さを減らすことができる。また、表示装置１の重さも減らすことができ、低コストも達成が可能である。
【００４３】
図１４及び図１５を参照しながら、第１の基板１１０について説明する。
図１５は、本発明の第４の実施形態による表示装置における第１の基板の配置図である。
第１の基板１１０は、第１の絶縁基板１１１、第１の絶縁基板１１１の上に形成されている第１の抵抗膜１１２、第１の信号線１１３及び第２の信号線１１４を含む。第１の実施形態とは異なり、第１の基板１１０に接続線は形成されない。
第１の抵抗膜１１２は、第１の絶縁基板１１１の上面の大部分にかけて形成されており、ＩＴＯ（ｉｎｄｉｕｍ  ｔｉｎ  ｏｘｉｄｅ）またはＩＺＯ（ｉｎｄｉｕｍ  ｚｉｎｃ  ｏｘｉｄｅ）のような透明電導物質で構成される。
【００４４】
第１の信号線１１３と第２の信号線１１４とは抵抗膜１１２を間に挟んで対向し、第１の絶縁基板１１１の長辺に沿って延長される。第１の信号線１１３及び第２の信号線１１４は第１の抵抗膜１１２に電気的に接続され、金属で構成される。
第１の絶縁基板１１１の下辺に隣接する第１の信号線１１３の一端部は、第１のパッド１１３ａとなり、第１の絶縁基板１１１の下辺に隣接する第２の信号線１１４の一端部は、第２のパッド１１４ａとなる。
【００４５】
図１４及び図１６を参照しながら、第２の基板１２０について説明する。
図１６は、本発明の第４の実施形態による表示装置における第２の基板の配置図である。
第２の基板１２０は、第２の絶縁基板１２１、第２の絶縁基板１２１の上に形成されている第２の抵抗膜１２２、第３の信号線１２３及び第２の信号線１２４を含む。
第２の絶縁基板１２１は、その上部に第２の偏光板２５０が位置するので、伸びない等方性高分子フィルムで構成される。第２の絶縁基板１２１は、第１の絶縁基板１１１とほとんど同じ大きさを有する。
【００４６】
本実施形態とは異なり、第２の偏光板２５０の支持層上には第２の抵抗膜１２２を形成することができ、この場合、支持層が第２の絶縁基板１２１となる。
第３の信号線１２３は、第２の絶縁基板１２１の下辺に沿って延長され、第２の絶縁基板１２１の右辺（図１６では第１の基板１１０と対向する面を正面として示しており左辺として示される）に隣接する端部が第３のパッド１２３ａとなる。
第４の信号線１２４は、第２の絶縁基板１２１の上辺及び左辺（図１６では右辺）に沿って延長され、第２の絶縁基板１２１の下辺に隣接する端部が第４のパッド１２４ａとなる。
【００４７】
上述したように、第４の実施形態によれば、第１のパッド１１３ａ及び第２のパッド１１４ａは第１の基板１１０に形成され、第３のパッド１２３ａ及び第４のパッド１２４ａは第２の基板１２０に形成される。
第１の絶縁基板１１１の左下のパッド領域Ｉには、第１のパッド１１３ａ及び第４のパッド１２４ａが備えられる。第１のパッド１１３ａと第４のパッド１２４ａとは互いに対向配置される。
第１の絶縁基板１１１の右下のパッド領域Ｊには、第２のパッド１１４ａ及び第３のパッド１２３ａが備えられる。第２のパッド１１４ａと第３のパッド１２３ａとは互いに対向配置される。
このようにパッド（１１３ａ、１１４ａ、１２３ａ、１２４ａ）は、タッチスクリーンパネル１００の両方の角部の二つの領域に備えられる。
【００４８】
図１７（ａ）〜（ｃ）及び図１８を参照しながら、パッド（１１３ａ、１１４ａ、１２３ａ、１２４ａ）とフレキシブル回路基板４００との接続を説明する。
図１７（ａ）〜（ｃ）は、本発明の第４の実施形態による表示装置におけるフレキシブル回路基板を示す図であり、（ａ）は正面図、（ｂ）は裏面図、（ｃ）は（ａ）のＸＶＩＩｃ−ＸＶＩＩｃ線に沿って切断した断面図である。
図１８は、図１２のＸＶＩＩＩ−ＸＶＩＩＩ線に沿って切断した断面図である。
【００４９】
図１７（ａ）〜（ｃ）を参照すると、フレキシブル回路基板４００は、フレキシブルフィルム４１１、フレキシブルフィルム４１１の上に形成されている一対の接続配線を含む。
第１の接続配線は、入力リード４２１、出力リード４２３、両方のリード（４２１、４２３）を接続するリード接続部４２２を含む。第２の接続配線は、入力リード４３１、出力リード４３３、両方のリード（４３１、４３３）を接続するリード接続部４３２を含む。
【００５０】
フレキシブル回路基板４００は両面フレキシブル回路基板である。入力リード４２１、出力リード４２３、リード接続部４２２及び出力リード４３３は、フレキシブルフィルム４１１の第１の面４１１ａに形成されており、第２の接続配線の入力リード４３１は、フレキシブルフィルム４１１の第２の面４１１ｂに形成されている。
第２の接続配線のリード接続部４３２の一部は出力リード４３３に接続されて第１の面４１１ａに形成されており、他の一部は入力リード４３１に接続されて第２の面４１１ｂに形成されている。相異なる面に形成されているリード接続部４３２は、フレキシブルフィルム４１１に形成されているビア（ｖｉａ）４１２を通じて相互に接続される。
【００５１】
図１８を参照すると、第１のパッド１１３ａ及び第４のパッド１２４ａは、第１のフレキシブル回路基板４００ａに接続されている。第１のパッド１１３ａは、異方性電導フィルム５００を通じて第２の接続配線の入力リード４３１に電気的に接続され、第４のパッド１２４ａは、異方性電導フィルム５００を通じて第１の接続配線の入力リード４２１に電気的に接続される。
異方性電導フィルム５００は、ベース樹脂部５１１及びベース樹脂部５１１内に分散されている導電ボール５１２を含む。パッド（１１３ａ、１２４ａ）とリード（４２１、４３１）との間で、導電ボール５１２は互いに接触しながら、電気的通路を形成する。
図示していないが、第２のパッド１１４ａ及び第３のパッド１２３ａも、これと同様の方式で第２のフレキシブル回路基板４００ｂに接続される。
図１８において、第１の絶縁基板１１１の下部の液晶パネル２００はその図示を省略した。
【００５２】
上述した第４の実施形態によれば、各パッド領域Ｉ、Ｊにおいて、パッド（１１３ａ、１１４ａ、１２３ａ、１２４ａ）は二つずつ備えられるが、互いに垂直方向に重畳しているため、一つのパッドの設置に必要な面積のみが必要である。従って、タッチスクリーンパネル１００のサイズ増加の抑制に有利である。
第４の実施形態において、パッド領域Ｉ、Ｊは、外部ブラックマトリックス２２２の領域内に位置する。外部ブラックマトリックス２２２の幅ｄ２（図１５参照）は、２ｍｍ程度とすることができる。
【００５３】
第４の実施形態において、信号線（１１３、１１４、１２３、１２４）の配置は様々に変更することができるが、これは第５の実施形態として説明する。
図１９は、本発明の第５の実施形態による表示装置における第１の基板の配置図である。
図１９を参照すると、第２の信号線１１４は、第１の絶縁基板１１１の右辺及び下辺に延長され、第１のパッド１１３ａに隣接する第２のパッド１１４ａを有する。
図２０を参照すれば、第４の信号線１２４は、第２の絶縁基板１２１の上辺及び左辺に延長され、第３のパッド１２３ａに隣接する第４のパッド１２４ａを有する。
【００５４】
第５の実施形態において、パッド領域Ｋには、第１の基板１１０のパッド（１１３ａ、１１４ａ）が位置し、パッド部Ｊには、第２の基板１２０のパッド（１２３ａ、１２４ａ）が位置する。
したがって、第５の実施形態において、フレキシブル回路基板４００としては単面フレキシブル回路基板が用いられる。第１のフレキシブル回路基板４００ａは第１の基板１１０に取り付けられて第１のパッド１１３ａ及び第２のパッド１１４ａに接続され、第２のフレキシブル回路基板４００ｂは第２の基板１２０に取り付けられて第３のパッド１２３ａ及び第４のパッド１２４ａに接続される。
【００５５】
次に、図２１〜図２５を参照しながら、第６の実施形態について説明する。
図２１は、本発明の第６の実施形態による表示装置の斜視図であり、図２２は、本発明の第６の実施形態による表示装置における第１の基板の配置図であり、図２３は、本発明の第６の実施形態による表示装置における第２の基板の配置図である。
図２４は、本発明の第６の実施形態による表示装置におけるフレキシブル回路基板を示す図であり、（ａ）は正面図、（ｂ）は裏面図である。
図２５は、図２１のＸＸＶ−ＸＸＶ線に沿って切断した断面図である。
【００５６】
図２１を参照すると、第６の実施形態において、単一のフレキシブル回路基板４００が備えられる。
図２２及び図２３を参照すると、各パッド（１１３ａ、１１４ａ、１２３ａ、１２４ａ）は互いに隣接し、第１の基板１１０のパッド（１１３ａ、１１４ａ）と第２の基板１２０のパッド（１２３ａ、１２４ａ）とが互いに重畳するように備えられている。すなわち、単一のパッド領域Ｍが備えられる。これにより、単一のフレキシブル回路基板４００が形成される。
【００５７】
図２４（ａ）及び（ｂ）を参照すると、フレキシブル回路基板４００は両面回路基板で４本の接続配線が備えられる。
第１の接続配線は、入力リード４２１、出力リード４２３、両方のリード（４２１、４２３）を接続するリード接続部４２２を含む。第２の接続配線は、入力リード４３１、出力リード４３３、両方のリード（４３１、４３３）を接続するリード接続部４３２を含む。第３の接続配線は、入力リード４４１、出力リード４４３、両方のリード（４４１、４４３）を接続するリード接続部４４２を含む。第４の接続配線は、入力リード４５１、出力リード４５３、両方のリード（４５１、４５３）を接続するリード接続部４５２を含む。
【００５８】
このうち、第３の接続配線の入力リード４４１と第４の接続配線の入力リード４５１とは、第２の面４１１ｂに備えられ、第３の接続配線のリード接続部４４２の一部と第４の接続配線のリード接続部４５２の一部とも、第２の面４１１ｂに備えられる。
第１の面４１１ａに備えられるリード接続部４４２、４５２と第２の面４１１ｂに位置するリード接続部４４２、４５２とは、フレキシブルフィルム４１１に形成されるビア（図示せず）を通じて接続される。
【００５９】
図２５を参照すれば、第１のパッド１１３ａは、異方性電導フィルム５００を通じて第４の接続配線の入力リード４５１に電気的に接続され、第２のパッド１１４ａは、異方性電導フィルム５００を通じて第３の接続配線の入力リード４４１に電気的に接続される。
また、第３のパッド１２３ａは、第２の接続配線の入力リード４３１に電気的に接続され、第４のパッド１２４ａは、第１の接続配線の入力リード４２１に電気的に接続される。
図２５においては、第１の絶縁基板１１１の下部の液晶パネル２００はその図示を省略した。
第６の実施形態によれば、パッド領域の面積を減らすのみならず、フレキシブル回路基板４００の個数も減らすことができる。
【００６０】
以上の第４の実施形態及び第６の実施形態において説明した両面フレキシブル回路基板を用いる構造は、第１の実施形態でのようにタッチスクリーンパネル１００と液晶パネル２００とを分離した構造にも適用することができる。
本発明において、フレキシブル回路基板４００の取り付け位置は、タッチスクリーンパネル１００の角領域に限られない。また、本発明は５本以上の信号線を有する構造にも適用が可能であるが、信号線が５本の場合、信号線を２本と３本にわけてフレキシブル回路基板に接続することができる。信号線が５本以上の場合、三つ以上のフレキシブル回路基板を用いることもできる。
【００６１】
尚、本発明は、上述の実施形態に限られるものではない。本発明の技術的範囲から逸脱しない範囲内で多様に変更実施することが可能である。
【図面の簡単な説明】
【００６２】
【図１】本発明の第１実施形態による表示装置のブロック図である。
【図２】本発明の第１の実施形態による表示装置の斜視図である。
【図３】図２のＩＩＩ−ＩＩＩ線に沿って切断した断面図である。
【図４】図３のＡ部分の拡大図である。
【図５】本発明の第１の実施形態による表示装置における第１の基板の配置図である。
【図６】本発明の第１の実施形態による表示装置における第２の基板の配置図である。
【図７】図６のＶＩＩ−ＶＩＩ線に沿って切断した断面図である。
【図８】本発明の第１の実施形態による表示装置におけるフレキシブル回路基板の正面図である。
【図９】図２のＩＸ−ＩＸ線に沿って切断した断面図である。
【図１０】本発明の第２の実施形態による表示装置における第１の基板の配置図である。
【図１１】本発明の第３の実施形態による表示装置における第１の基板の配置図である。
【図１２】本発明の第４の実施形態による表示装置の斜視図である。
【図１３】図１２のＸＩＩＩ−ＸＩＩＩ線に沿って切断した断面図である。
【図１４】図１３のＨ部分の拡大図である。
【図１５】本発明の第４の実施形態による表示装置における第１の基板の配置図である。
【図１６】本発明の第４の実施形態による表示装置における第２の基板の配置図である。
【図１７】本発明の第４の実施形態による表示装置におけるフレキシブル回路基板を示す図であり、（ａ）は正面図、（ｂ）は裏面図、（ｃ）は（ａ）のＸＶＩＩｃ−ＸＶＩＩｃ線に沿って切断した断面図である。
【図１８】図１２のＸＶＩＩＩ−ＸＶＩＩＩ線に沿って切断した断面図である。
【図１９】本発明の第５の実施形態による表示装置における第１の基板の配置図である。
【図２０】本発明の第５の実施形態による表示装置における第２の基板の配置図である。
【図２１】本発明の第６の実施形態による表示装置の斜視図である。
【図２２】本発明の第６の実施形態による表示装置における第１の基板の配置図である。
【図２３】本発明の第６の実施形態による表示装置における第２の基板の配置図である。
【図２４】本発明の第６の実施形態による表示装置におけるフレキシブル回路基板を示す図であり、（ａ）は正面図、（ｂ）は裏面図である。
【図２５】図２１のＸＸＶ−ＸＸＶ線に沿って切断した断面図である。
【符号の説明】
【００６３】
１００      タッチスクリーンパネル
１１０      第１の基板
１１１      第１の絶縁基板
１１２      第１の抵抗膜
１１３      第１の信号線
１１３ａ      第１のパッド
１１４      第２の信号線
１１４ａ      第２のパッド
１１５      第１の接続線
１１５ａ      第３のパッド
１１６      第２の接続線
１１６ａ      第４のパッド
１２０      第２の基板
１２１      第２の絶縁基板
１２２      第２の抵抗膜
１２３      第３の信号線
１２４      第４の信号線
１３０      スペーサ
１４０      接着層
１５０      導電部材
２００      液晶パネル
２１０、２２０    （第１及び第２の）液晶パネル基板
２１２      薄膜トランジスタ
２１４      画素電極
２２２、２２３    （外部及び内部）ブラックマトリックス
２２４      カラーフィルタ
２２５      オーバーコート
２２６      共通電極
２３０      液晶層
２４０、２５０    （第１及び第２の）偏光板
２６０      シーラント
３００      制御部
４００      フレキシブル回路基板
４１１      フレキシブルフィルム
４００ａ、４００ｂ    （第１及び第２の）フレキシブル回路基板
４２１、４３１、４４１、４５１    入力リード
４２２、４３２、４４２、４５２    リード接続部
４２３、４３３、４４３、４５３    出力リード
５００      異方性電導フィルム
５１１      ベース樹脂部
５１２      導電ボール
【図１】
0005732185.tif 000002
【図２】
0005732185.tif 000003
【図３】
0005732185.tif 000004
【図４】
0005732185.tif 000005
【図５】
0005732185.tif 000006
【図６】
0005732185.tif 000007
【図７】
0005732185.tif 000008
【図８】
0005732185.tif 000009
【図９】
0005732185.tif 000010
【図１０】
0005732185.tif 000011
【図１１】
0005732185.tif 000012
【図１２】
0005732185.tif 000013
【図１３】
0005732185.tif 000014
【図１４】
0005732185.tif 000015
【図１５】
0005732185.tif 000016
【図１６】
0005732185.tif 000017
【図１７】
0005732185.tif 000018
【図１８】
0005732185.tif 000019
【図１９】
0005732185.tif 000020
【図２０】
0005732185.tif 000021
【図２１】
0005732185.tif 000022
【図２２】
0005732185.tif 000023
【図２３】
0005732185.tif 000024
【図２４】
0005732185.tif 000025
【図２５】
0005732185.tif 000026